(57)【特許請求の範囲】
【請求項１】
送信チャンネルの既知の振幅の歪みを表示する方法であって、
既知の振幅分布の測定信号を送信チャンネルを経由して伝送し、
振幅値を送信チャネルの出力において測定し、
これらの連続する測定された振幅値をデジタル化し、
振幅値の測定範囲を隣接した振幅ウィンドに分割し、
連続して得られたデジタル化された所定多数の発生度数分布を前記隣接した振幅ウィンドにおいて決定し、
それぞれの振幅ウィンド用に決定された振幅発生度数分布をディスプレイ表示装置により表示し、
全体として決定された振幅同数値から基準値が決定され、
前記基準値を超える振幅発生度数のみを振幅ウィンドに表示し、
基準値としての２乗平均平方根（RMS値）が、振幅度数値の合計から計算されることを特徴とすることを特徴とする方法。
【請求項２】
所定多数のそれぞれ異なる整数の振幅測定値の発生度数が先ず決定され、次に基準値が計算され、またこの基準値を超える決定された振幅度数値がそれぞれ結合かつ加算されてグループを形成し、それぞれ結合された振幅度数値のグループのこれらの総数が隣接した振幅ウィンドウに表示されることを特徴とする請求項１に記載の方法。
【請求項３】
確認された最大の振幅度数値と、基準値とから波高率が計算されることを特徴とする請求項１又は２に記載の方法。
【請求項４】
いくつかの連続する所定多数のｎｍａｘ個の振幅測定値に対する請求項１による各振幅ウィンドウに対し振幅度数がそれぞれ確かめられ、かつそれから累積度数が確かめられ、かつ次に各振幅ウィンドウに対する相対振幅度数が計算かつ表示されることを特徴とする請求項１乃至３のいずれかに記載の方法。
【請求項５】
波高率がまたいくつかの連続する所定多数の振幅測定値に対して決定され、かつそれから確かめられた累積度数を介して相対波高率が計算されかつ表示されることを特徴とする請求項３又は４に記載の方法。
【請求項６】
測定信号の理想的度数もまた振幅ウィンドウにおいて同時に表示されることを特徴とする請求項１乃至５のいずれかに記載の方法。
【請求項７】
所定多数の瞬間的に評価された現在のパーセントもまた同時に表示されることを特徴とする請求項１乃至６のいずれかに記載の方法。
【発明の詳細な説明】
【０００１】
【発明の属する技術分野】
本発明は主請求項の前文による方法、即ち、送信チャンネルの出力における既知の振幅分布の測定信号の振幅分布を測定することにより送信チャンネルの振幅歪みを表示する方法に関するものである。
【０００２】
【従来の技術】
送信チャンネルの非線形振幅歪みに関する特性を測定するために、理論的に既知の振幅分布を有する、送信されるべき測定信号の振幅分布が使用できる。この理想的な振幅分布からの偏差は送信チャンネルの影響に起因すると考えることができる。高周波送信機の電力制限出力ステージ等がこのようにして、例えば、非線形振幅歪みに関して測定できる。
【０００３】
【発明が解決しようとする課題】
本発明の目的は振幅歪みのそのような測定の測定結果の特に明瞭かつユーザに好都合な表示を提供することである。
【０００４】
【課題を解決するための手段】
この目的は主な請求項の前文に従う方法を糸口として、それを特徴付ける特色により達成される。好ましい発展形は従属する請求項から生じる。
【０００５】
連続して測定される多数の振幅測定値の度数分布についての本発明による評価により、振幅ウィンドウを得るために結合された度数値における度数分布のマッチングデータ低減と表示を同時に行なって、図３に示すように、特に明瞭かつ迅速な評価が可能なディスプレィが対応する測定受信機のユーザに対して作り出される。
【０００６】
【発明の実施の形態】
本発明による方法は模式図に言及して以下により詳細に説明される。
例えば、測定されるべき送信機出力ステージの出力において測定受信機により測定された連続する振幅測定値は、Ａ／Ｄ変換器を介してデジタル化され、更に、図１による処理装置を介して連続するデジタル値として処理される。第１の表現として、所定の測定時間に対応する所定数ｎmax個のデジタル値、実際には例えば１０万個の連続する測定値が評価される。これらの連続する測定値は度数により分類され、これを行なうために、各場合に評価される測定値の振幅値に対応するアドレスを有するメモリーＡのｓmax＋１個のメモリーセルの個々のメモリーセルが図１による各測定値ＡＤ（ｎ）に対してインクリメントされる(理論的な可能な振幅値：０〜ｓmax)。図１による例においては、例えば、それぞれ整数値の振幅値４、６、１が連続して測定される。図の矢印で示されるように、それらの度数がｓ＝０からｓmaxまでの関連するメモリーセルにおいてカウントされ、次に全てのｎmax個の振幅値の評価の終了後、それらの度数分布がメモリーＡに記憶される。実際にはメモリーＡは、例えば、１０２４個のメモリーセルを有する。
【０００７】
次に、最終表示において基準値として使用される基準値、例えば、ＲＭＳ（root-mean-square）値がこれらの記憶された度数値から計算される。対数表示スケールに対しては、ＲＭＳ値が最適である。基準値Ｒｅｆが図１に示す式により振幅度数ＨＡＤの合計と、メモリーＡの振幅レベル数ｓmax＋１と、振幅値の評価数ｎmaxとから計算される。
【０００８】
測定された出力信号の振幅分布の表示を更に簡略化するために基準値Ｒｅｆを超えるメモリーＡの振幅度数値がそれぞれ結合かつ加算され、いわゆる振幅ウィンドウＦ＝１からＦmaxまでが得られる。振幅ウィンドウＦの下限及び上限はそれぞれｓ1及びｓ2で示される。Ａ／Ｄ変換器により供給される測定値が前記二つの振幅レベル間の真中に正確に合致しない場合、結果の精度を高めるために関連する振幅レベルの度数値は二つのウィンドウに重み付けして分布させなければならない。度数値のこの結合により最終的には各振幅ウィンドウＦに対して絶対度数ＡＨ（Ｆ）が得られ、かつ表示される。図１に示す例においてはＲＭＳ値として計算された０ｄＢの基準値を超える、例えば、２０個の隣接して接続された振幅ウィンドウＦが提供され、０から１ｄＢの範囲が１番目のウィンドウに割り当てられ、１から２ｄＢが２番目のウィンドウに、２から３ｄＢが三番目のウィンドウにというように割り当てられる。
【０００９】
図３はそれから得られたスクリーン上の表示、或いは、プリンタによりプリントアウトされた表示を示す。１ｄＢ幅の振幅ウィンドウＦは横方向に記載され、振幅分布、即ち、記録された測定値の総数に対する個々の振幅ウィンドウにおける測定値数が縦方向に棒として記載される。例えば、１Ｅ−２は全ての測定値の内の１０-2、従って１％がこの１ｄＢウィンドウ内にあることを意味する。
【００１０】
図１にその計算式が示される波高率が、実際に生じるメモリーＡの最大振幅レベルｓと、ＲＭＳ値として計算される基準値Ｒｅｆとから容易に計算でき、表示される。
【００１１】
実際の振幅分布に関して統計的に有意であること述べるためには一定数ｚの測定値ＡＤ（ｎ）が必要である。多くの場合、述べられた多数ｎmaxはこのためには不十分であり、必要な精度を達成するためにｋmax＝ｚ／ｎmax回の測定値を記録しなければならない。これを行なうために長さｋｍａｘのリングメモリー構造が図２に従って用いられる。先ず図１による処理方式に従って第１の多数ｎmax個の測定値に対する各振幅ウィンドウＦに対し、関係する絶対度数ＡH（Ｆ）が確認され、リング構造の第１のメモリーセル列ｋ＝１に、正確に言えば図１に従って計算されたのと同様の基準値とともに、また波高率とともに入力される。次に図１による処理方式に従って絶対度数が再度第２の多数ｎmax個の測定値に対する各振幅ウィンドウに対し確認され、第２のメモリーセル列ｋ＝２が確認され、リング構造全体がｋmax個の要素により全部記述されるまでこれが繰り返される。メモリーセル列ｋへの各入力の後に、今まで処理された測定値を考慮しながら測定がディスプレィに示される。ｋmax個への入力の後に、リング構造の第１の列ｋ＝１が再度上書きされて最新の測定値が常に処理される。リング構造においてこのように記憶された絶対度数値から累積度数が各振幅ウィンドウに対して計算され、またこれから最終的に各振幅ウィンドウに対する相対度数が計算され、次にこの度数が図３に従って最終的に表示される。リング構造は、例えば、ｋ＝１００の個々のメモリーセル列で構成することができる。図３に従って最終的に表示される各ウィンドウに対する相対振幅度数はここでは、図２に従う式により示されるように、各振幅ウィンドウに対する絶対振幅度数を加算したものを今まで生じた測定値の数で割ったものから計算される。
【００１２】
波高率も図２に同様に示されるように、今まで計算されまた表示された波高率の最大値から決定できる。
【００１３】
最後に、統計的に有意であることに関して全てにおいて必要な記録された測定値数に対する現在のパーセンテージが表示でき、これは図２に同様に示される式に従って、リング構造に存在する入力数ｋをｋmaxで割ったものに相当する。
【００１４】
図３の縦棒で表される測定された振幅分布を、用いられた測定信号の理論的に与えられる既知の振幅分布と比較するために、後者を、図３の各振幅ウィンドウに対する短い横線で示すように、表示画像においてフェードインすることができる。
【００１５】
既知の振幅分布を備える如何なる信号も測定信号として適している。好ましくは、測定されるべき送信チャンネルを介して動作中にやはり送信される信号、例えば、ＤＶＢ−Ｔ規格により処理されたデジタルテレビ信号が用いられる。
【図面の簡単な説明】
【図１】  本発明の方法を実施するための一例である処理装置の説明図並びに基準値（Ｒｅｆ）及び波高率（ＣＦ）の計算式
【図２】  本発明の方法における振幅分布が統計的に有意であるようにするためのリングメモリー構造の説明図、波高率（ＣＦ（ｋ））及びデータ取り込みパーセンテージ（Ａｃｋ（ｋ））の説明図
【図３】  本発明の方法におけるウィンドゥの一例についての説明図
【図１】
0004416369.tif 000002
【図２】
0004416369.tif 000003
【図３】
0004416369.tif 000004